(57)【要約】      （修正有）【課題】市販のマスクをそのまま使用することができるという利点を生かしながら、耳への負担が全くない（ゴム紐の違和感が全くない、或いはゴム紐の摩擦により痛みが全く感じない）と共に、安価なマスク用支持具を提供する。【解決手段】市販のマスクＹを吊り下げ状態に支持するフレームが、鼻背付近に位置する中央部１ｃ及び中央部１ｃに連続すると共に下眼瞼溝側に位置する左右一対の弧状フレーム１ｂ，１ｂとを有する下枠フレーム１と、この下枠フレーム１の左右端部にそれぞれ接続する左右一対のテンプル２から構成されたマスク用支持具であって、中央部１ｃにマスクＹの上縁部分を支持することができる支持手段３を設け、また左右一対のテンプル２の後端部寄りの外面にマスクＹのゴム紐２２の折返し部分２２ｂを係止することができる第１係止手段６を形成する。【選択図】図１
0003192540.tif 000002
【実用新案登録請求の範囲】
【請求項１】
市販のマスクを吊り下げ状態に支持するフレームが、少なくとも鼻背付近に位置する中央部分及び該中央部分に連続すると共に下眼瞼溝側に位置する左右一対の弧状フレームとを有する下枠フレームと、この下枠フレームの左右端部にそれぞれ接続する左右一対のテンプルから構成されたマスク用支持具であって、
前記中央部分に前記マスクの上縁部分を支持することができる支持手段を設け、また前記左右一対のテンプルの後端部寄りの外面に前記マスクのゴム紐の折返し部分を係止することができる第１係止手段を形成したマスク用支持具。
【請求項２】
請求項１に於いて、左右一対のテンプルの先端部の外面又は弧状フレームの外端部に連続する智（ち）の外面のいずれかに、マスクのゴム紐の上方基端部側を案内支持することができる第２係止手段を形成したことを特徴とするマスク用支持具。
【請求項３】
請求項１又は請求項２に於いて、左右一対のテンプルには、下方に突出する幅広の支持板が設けられ、該幅広の支持板の外面に、マスクのゴム紐の下方基端部側を案内支持することができる第３係止手段を形成したことを特徴とするマスク用支持具。
【請求項４】
請求項１に於いて、支持手段は、その材質自体が硬性的機能を有すると共に、外拡弾性変位機能及び弾性復帰機能するマスク用クリップ、又はマスクの中央部の上縁部分の上面と取外し可能に接着するマスク用接着層のいずれかであることを特徴とするマスク用支持具。
【請求項５】
請求項１に於いて、支持手段は、可撓性接続部に連続するオス片・メス片とから成るマスク用クリップであることを特徴とするマスク用支持具。
【請求項６】
請求項１に於いて、支持手段は、その材質自体が硬性的機能を有すると共に、外拡弾性変位機能及び弾性復帰機能するマスク用の薄型クリップであって、基端部から下方に連続する左右一対の挟持アームの間に左右の切欠部を介して挟持用の弾性突片を有していることを特徴とするマスク用支持具。
【考案の詳細な説明】
【技術分野】
【０００１】
本考案はマスク用支持具に関し、特に、市販のマスクをそのまま使用することができる、長く使用しても耳への負担がない（ゴム紐の違和感がない、或いはゴム紐の摩擦により痛みを感じない）等の利点を有するマスク用支持具に関する。
【背景技術】
【０００２】
特許文献１の考案の課題は、眼鏡を装着している人がマスクを装着しても耳への負担の増大を防止でき、耳周囲の痛み・不快感の増大を防止できるマスクホルダーを提供することである。この課題を達成する手段として、特許文献１の考案は、「鼻や口の人の呼吸部位を覆う通気性を有する被覆本体１０と、被覆本体の相対する側部１０ａ，１０ａに設けた紐状の耳掛け部材１２とからなるマスク１４において、紐状の耳掛け部材（ゴム紐）１２の端部１２ａを挿通する中空孔が形成されて、その中空孔に耳掛け部材１２の端部１２ａを挿通させた状態で耳掛け部材１２を眼鏡のフレーム１８（１８ａ，１８ａ）に外嵌合状態に係止するための環状構造の係止部材（２０、２０Ａ、２０Ｂ、２０Ｃ）を設けたものである」である（符号は特許文献１のもの）。
【特許文献１】登録新案登録第３１３６５７０号公報
【考案の開示】
【考案が解決しようとする課題】
【０００３】
特許文献１は、市販のマスクをそのまま使用することができるという利点があるものの、マスクを装着するための手段としてレンズを有する眼鏡が必要である、眼鏡のフレームを構成する左右一対のテンプルにそれぞれ外嵌合状態に係止するための環状構造の係止部材が必要である、テンプルに外嵌合するゴム紐のリング状端部又は係止部材のリング状外嵌合部の内側が耳周辺の部位に直接接触するので違和感がある等の問題点があった。
そこで、本考案の主たる目的は、市販のマスクをそのまま使用することができるという利点を生かしながら、耳への負担が全くない（ゴム紐の違和感が全くない、或いはゴム紐の摩擦により痛みが全く感じない）と共に、安価なマスク用支持具を提供することである。第２の目的は、市販のマスクを簡単に脱着することができることである。第３の目的は、使用中にマスクがマスク用支持具から容易に外れないことである。
【課題を解決するための手段】
【０００４】
本考案のマスク用支持具は、市販のマスクを吊り下げ状態に支持するフレームが、少なくとも鼻背付近に位置する中央部分及び該中央部分に連続すると共に下眼瞼溝側に位置する左右一対の弧状フレームとを有する下枠フレームと、この下枠フレームの左右端部にそれぞれ接続する左右一対のテンプルから構成されたマスク用支持具であって、前記中央部分に前記マスクの上縁部分を支持することができる支持手段を設け、また前記左右一対のテンプルの後端部寄りの外面に前記マスクのゴム紐の折返し部分を係止することができる第１係止手段を形成したことを特徴とする。
【０００５】
上記構成に於いて、左右一対のテンプルの先端部の外面又は弧状フレームの外端部に連続する智（ち）の外面のいずれかに、マスクのゴム紐の上方基端部側を案内支持することができる第２係止手段を形成したことを特徴とする。また左右一対のテンプルには、下方に突出する幅広の支持板が設けられ、該幅広の支持板の外面に、マスクのゴム紐の下方基端部側を案内支持することができる第３係止手段を形成したことを特徴とする。さらに支持手段は、材質自体が硬性的機能を有すると共に、外拡弾性変位機能及び弾性復帰機能するマスク用クリップ、又はマスクの中央部の上縁部分の上面と取外し可能に接着するマスク用接着層のいずれかであることを特徴とする。望ましくは、前記支持手段は、可撓性接続部に連続するオス片・メス片とから成るマスク用クリップであることを特徴とする。加えて、支持手段は、その材質自体が硬性的機能を有すると共に、外拡弾性変位機能及び弾性復帰機能するマスク用の薄型クリップであって、基端部から下方に連続する左右一対の挟持アームの間に左右の切欠部を介して挟持用の弾性突片を有していることを特徴とする。
【０００６】
ここで「フレームが、………下枠フレーム」であるとの意味は、フレームに上枠フレームを設けても良いし、又は上枠フレームを設けなくても良いということである。付言すると、フレームが、眼鏡の如く、レンズを設ける構造でなければ、その形態は眼鏡のイメージを彷彿するものでも良い。
【０００７】
また、ここで「市販のマスク」とは、普通一般に大量生産により販売されている衛生マスクをいい、人の鼻や口の呼吸部位を覆う通気性を有する被覆本体と、前記被覆本体の相対する側部に設けた紐状の耳掛け部材（左右一対のゴム紐）とからなるものを言う。マスク自体に細工を施した（係止部分、係合突片等を形成した）  ものは含まれず、例えば特許文献１に記載されているようなマスクを言う。
【考案の効果】
【０００８】
（ａ）下枠フレームの中央部分にマスクの上縁部分を支持することができる支持手段を設け、また下枠フレームに接続する左右一対のテンプルの後端部寄りの外面に前記マスクのゴム紐の折返し部分を係止することができる第１係止手段を形成したので、市販のマスクをそのまま使用することができると共に、ゴム紐の折返し部分が耳の周囲に直接接触しないので、耳への負担が全くない（ゴム紐の違和感がない、或いはゴム紐の摩擦により痛みが感じない）。またマスク用支持具は、眼鏡ではない（レンズを有しない）ので、安価に製作することができる。さらに、マスク用支持具の左右のテンプルを持って市販のマスクを呼吸部位に簡単に装着し、又は外すことができる。
（ｂ）請求項２に記載の考案は、マスクのゴム紐の上方基端部側を案内支持することができる第２係止手段を構成要素とするので、ゴム紐を確実に支持（係止）することができると共に、ゴム紐の上方の紐状部分は、全く皮膚に接触しない。なお、ゴム紐の上方の紐状部分がテンプルの外面に線状に揃うので、意匠的にも見苦しくはない。
（ｃ）請求項３に記載の考案は、マスクのゴム紐の下方基端部側が幅広の支持板の外面に案内支持されるので、ゴム紐の紐状部分を極力皮膚に直接接触しないようにすることができる。
（ｄ）請求項４乃至請求項６に記載の各考案は、マスクを簡単に脱着することができる、使用中にマスクがマスク用支持具から容易に外れない等の効果がある。特に請求項５と請求項６に記載の各考案は、簡単にマスクの上縁部分を挟着することができる。
【図面の簡単な説明】
【０００９】
図１乃至図９は本考案の第１実施形態を示す各説明図、図１０乃至図１２は本考案の第２実施形態（構成要件の追加例）を示す各説明図、図１３及び図１４は本考案の第３実施形態（要部の変形例）を示す各説明図、図１５及び図１６は本考案の第４実施形態（要部の変形例）を示す各説明図、図１７乃至図１９は本考案の第５実施形態（要部の変形例）を示す各説明図である。
【図１】本考案の第１実施形態を示す概略斜視図（便宜上マスクも示す）。
【図２】斜視図。
【図３】要部を示す斜視図（テンプルが折り畳み可能である一例を示す）。
【図４】下枠フレームの中央部に設けた支持手段を下方から見た概略説明図。
【図５】図３の５−５線における概略断面説明図。
【図６】要部（第１係止手段）の横断面の概略説明図。
【図７】要部（第２係止手段）の縦断面の概略説明図。
【図８】要部（支持手段）にマスクの上縁部分を差し込んだ状態の概略説明図。
【図９】第２実施形態の使用状態の説明図。
【図１０】本考案の第２実施形態を示す概略斜視図。
【図１１】図１０の１１−１１線における概略断面説明図。
【図１２】第２実施形態の使用状態の説明図。
【図１３】本考案の第３実施形態（支持手段３Ａの変形例）を示す説明図。
【図１４】要部（支持手段）にマスクの上縁部分を挟持させた状態の概略説明図。
【図１５】本考案の第４実施形態（支持手段３Ｂの変形例）を示す説明図。
【図１６】要部（支持手段）にマスクの上縁部分を接着させた状態の概略説明図。
【図１７】本考案の第５実施形態（支持手段３Ｃの変形例）を示す説明図。
【図１８】要部（支持手段の舌片とアーム）にマスクの上縁部分を挟持させた状態の概略説明図。
【図１９】図１８の１９−１９線における概略断面説明図。
【考案を実施するための最良の形態】
【００１０】
以下、図面を参照にして、本考案の実施形態の一例を説明する。図１は本考案の第１実施形態のマスク用支持具を示す概略斜視図である。これらの図に於いて、Ｘは金属又は合成樹脂製のマスク用支持具（以下、「支持具」という）、一方、Ｙは支持具に吊り下げ状態に支持される市販のマスクである。
【００１１】
支持具Ｘは、眼鏡のアンダーリムの形態に相当する下枠フレーム１と、該下枠フレームの左右端部に接続する左右一対のテンプル２から構成されている。そして、前記下枠フレーム１は、眼鏡のブリッジに相当する中央部１ａと、該中央部に連続する左右一対の弧状フレーム１ｂ、１ｂとを有する。前記中央部１ａは鼻の曲率に合うように山形又は弧状に形成され、支持具Ｘを顔面に装着した際、少なくとも鼻背付近に位置する。また一対の弧状フレーム１ｂ、１ｂは、それぞれ端部に後方側に連続する智（ち）１ｃ、１ｃを有し、支持具Ｘを顔面に装着した際、下眼瞼溝側に位置する。なお、前記弧状フレーム１ｂ、１ｂの形状は任意に設計変更することができる。付言すると、中央部１ａ、弧状フレーム１ｂ、１ｂ及び智（ち）１ｃ、１ｃの曲率（形状）は、極力、顔に適合するような曲率に設定されている。
【００１２】
ところで、支持具Ｘの下枠フレーム１は、レンズを支持する機能を有しないので、レンズ装着用の係止部分（筋状溝又は突条）を有しない。一方、その中央部１ａにマスクＹの中央部の上縁部分を支持することができるクリップ式の支持手段３を有している。
【００１３】
図４及び図５は下枠フレーム１の中央部１ａに設けた（例えば合成樹脂材で一体成形された）支持手段３の一例を示す。第１実施形態の支持手段３は、マスクＹの中央部の上縁部分を複数の箇所（例えば二点）で挟持することができるクリップ機能を有している。このクリップ機能は、例えば筆記具のキャップに設けたクリップのように、材質自体が硬性的機能を有すると共に、少なくとも自由端部側が若干外拡弾性変位機能及び弾性復帰機能する。ここで、支持手段３を下方から見た図４を参照にして支持手段３を説明する。
【００１４】
３ａは中央部１ａの外面から前方側に若干突出する長板状のベース板で、この長板状ベース板３ａは、その基端部が前記中央部１ａに連設すると共に、基端部から自由端部にかけて、例えばパッド（鼻あて）の機能を持たせるために山形或いは弧状に形成されている。３ｂは長板状ベース板３ａと若干の間隙を有して対向する長板状の係止板で、この長板状係止板３ｂも前記長板状ベース板３ａと同様に山形或いは弧状に形成され、その自由端部の内面に係止用の小突起４が左右方向に所定間隔を有して合計２個形成されている。
【００１５】
図３はテンプル２が折り畳み可能である一例を示す。支持具Ｘの材質如何によっては、テンプル２は折り畳み可能である必要はない。しかし、梱包、管理、取扱い等の便宜上、普通一般の眼鏡のフレームの如く、左右一対のテンプル２は、智（ち）１ｃに設けた接続手段（蝶番）５を介して折り畳み可能であることが望ましい。図３は、一方のテンプル２を示しているが、他方のテンプル２も同一の構成なので、便宜上省略する。
【００１６】
しかして、符号６は、テンプル２の後端部寄りの外面に基端部が一体に成形(形成)された鉤状第１係止手段で、この鉤状第１係止手段６は、図６で示すように、マスクＹのゴム紐２２の折返し部分を係止することができる。また符号７は、テンプル２の先端部の外面又は弧状フレーム１ｂの外端部に連続する智（ち）の外面のいずれかに、長手方向に所定量形成された筋状第２係止手段で、この筋状第２係止手段７は、マスクＹのゴム紐２２の上方基端部２２ａ側の一部を案内支持（一部を嵌め込んだ状態の係止）することができる。
【００１７】
上記構成に於いて、図８は下枠フレーム１の支持手段３にマスクＹの上縁部分を差し込んだ状態の概略説明図、図９は第１実施形態の使用状態の説明図である。これらの図面から明らかなように、市販のマスクＹを使用する場合には、支持具Ｘの中央部１ａの支持手段３にマスクＹの中央部の上縁部分を挟着状態に支持させ、少なくとも、支持具Ｘの鉤状第１係止手段６にマスクＹのゴム紐２２の折り返し部分２２ｂを係止させ、実施形態では、さらに、第２係止手段７にマスクＹのゴム紐２２の上方基端部２２ａ側を案内支持させると、ゴム紐２２を確実に支持（係止）することができると共に、ゴム紐２２の上方の紐状部分は、全く皮膚に接触しない。またゴム紐の上方の紐状部分がテンプル２の外面に線状に揃うので、意匠的にも見苦しくはない。
【実施例】
【００１８】
この欄では、第１実施形態と同一の課題を達成することができる他の実施形態について説明する。なお、第２実施形態等の説明に当って、第１実施形態と同一の部分には同一又は同様の符号を付して重複する説明を割愛する。
【００１９】
まず、図１０乃至図１２は、第２実施形態の支持具Ｘ１である。この支持具Ｘ１が第１実施形態の構成と主に異なる点は、左右一対のテンプル２，２に、それぞれ下方に突出する幅広の支持板８を設け、該幅広の支持板８の外面に、マスクＹのゴム紐２２の下方基端部２２ａ側を案内支持することができる筋溝状第３係止手段９が右上がり方向（傾斜状）に設けられていることである。
【００２０】
上記のように構成すると、前記ゴム紐２２の下方基端部２２ａ側も上方の基端部２２ａ側と同様に案内支持することができる。なお、幅広の支持板８の形状は、任意の円形・多角形・幾何学形状やキャラクターのイメージを彷彿させる形状にすることができる。
【００２１】
図１３及び図１４は本考案の第３実施形態（支持手段の変形例）を示す説明図である。第１実施形態の支持手段３と主に異なる点は、支持手段３Ａが、その材質自体が硬性的機能を有すると共に、外拡弾性変位機能及び弾性復帰機能するマスク用クリップであることである。付言すると、支持手段３Ａは、可撓性接続部に連続するオス片・メス片とから成る。なお、符号は、便宜上、第１実施形態の支持手段３の符号を援用して、重複する説明を割愛する。
【００２２】
図１５及び図１６は本考案の第４実施形態（支持手段の変形例）を示す説明図である。第１実施形態の支持手段３と主に異なる点は、支持手段３Ｂが、剥離紙ａと、接着層ｂとから成り、前記剥離紙ａを接着層ｂから剥がすと、マスクＹの中央部の上縁部分の上面と取外し可能に接着するマスク用接着層となることである。このように構成しても、本考案の課題を達成することができる。なお、前記接着層ｂは、支持手段３の内面に設けているが、支持手段３の外面又は両面に設けても良い。
【００２３】
最後に、図１７乃至図１９は本考案の第５実施形態（要部の変形例）を示す各説明図である。この第５実施形態の支持手段３Ｃは、第３実施形態の支持手段３Ａと同様に、その材質自体が硬性的機能を有すると共に、外拡弾性変位機能及び弾性復帰機能するマスク用の薄型クリップである。しかし、この第５実施形態の支持手段３Ｃは、合成樹脂製の一枚の薄い弾性体である点が、他の実施形態の支持手段３、支持手段３Ａ等と異なる。
【００２４】
すなわち、この支持手段３Ｃは、下枠フレーム１の中央部１ａに一体的に設けられた基端部１１から下方に連続する左右一対の挟持アーム１２の間に、左右の切欠部１３を介して形成された挟持用弾性突片１４を有している。ところで、実施形態では、前記挟持用弾性突片１４は正面視略Ｕ字形状に形成されているが、適宜の形状（例えばＶ字形状）に設計変更できる。またマスク用のクリップの構造は、特に図示しないが、コーリン株式会社が開発した伸縮性のコーリンベルト（ｊ−ｓｅｎクリップという商標）の構造も適宜に採用することができる。
【００２５】
なお、各実施形態では、支持手段（３，３Ａ、３Ｂ、３Ｃ）が下枠フレーム１の略中央部に設けられているが、下枠フレーム１の中央部寄りの部位に単数又は複数個設けても良い。要はマスクＹの上縁部分の適宜箇所を単数又は複数支持（係止、挟持、接着、粘着等）することができれば良い。
【産業上の利用可能性】
【００２６】
本考案は、市販のマスクを支持するために用いられる。
【符号の説明】
【００２７】
１…下枠フレーム、２…テンプル、３，３Ａ、３Ｂ、３Ｃ…支持手段、４…小突起、６…第１係止手段、７…第２係止手段、９…第１係止手段、８…幅広の支持板。
【図１】
0003192540.tif 000003
【図２】
0003192540.tif 000004
【図３】
0003192540.tif 000005
【図４】
0003192540.tif 000006
【図５】
0003192540.tif 000007
【図６】
0003192540.tif 000008
【図７】
0003192540.tif 000009
【図８】
0003192540.tif 000010
【図９】
0003192540.tif 000011
【図１０】
0003192540.tif 000012
【図１１】
0003192540.tif 000013
【図１２】
0003192540.tif 000014
【図１３】
0003192540.tif 000015
【図１４】
0003192540.tif 000016
【図１５】
0003192540.tif 000017
【図１６】
0003192540.tif 000018
【図１７】
0003192540.tif 000019
【図１８】
0003192540.tif 000020
【図１９】
0003192540.tif 000021